(57)【要約】【課題】内枠の立ち上がり壁に対するロック軸の取り付け支持を簡単に行なえるようにした天井点検口のロック軸取り付け構造を提供する。【解決手段】ロック軸８は上下方向中央よりやや上側に他の部分よりやや小径となっている小径部１４を備え、合成樹脂製の板状の支持部材１３に形成された膨らみ部でロック軸８の上端近傍部分と下端近傍の爪片９との間の部分を内枠４の立ち上がり壁７の外面との間で挟み、支持部材１３の上下両端に形成された小さな凸部１３ａ，１３ｂを内枠４の立ち上がり壁７の上端に形成された下向きの溝７ａおよびこの溝７ａに向き合うように内枠４の立ち上がり壁７の下端から外側に張り出す水平板部１２上に形成された上向きの溝１２ｂに圧入させることによりロック軸８を内枠４の立ち上がり壁７に対し押し当てた状態で支持する。【選択図】図２
2008095379.tif 000002
【特許請求の範囲】
【請求項１】
天井に形成された４角形の開口部に嵌めこまれて取り付けられる外枠に対し１辺同士で回動自在に繋がるように取り付けられた内枠を前記回動自在に繋がる１辺に対向する１辺で閉塞保持するために、前記回動自在に繋がる１辺に対向する内枠の１辺にロック手段を設けてあり、このロック手段は内枠の立ち上がり壁の外側で軸芯が上下方向に向くように内枠の立ち上がり壁の下端から外側に張り出す水平板部に形成された孔部に下端が嵌入して回転自在に取り付けられるロック軸と、このロック軸の下端近傍に設けた爪片とからなり、ロック軸を回して爪片を外枠に係止させることにより内枠の閉塞状態が保持されるようになっており、ロック軸は上下方向中央よりやや上側に他の部分よりやや小径となっている小径部を備え、合成樹脂製の板状の支持部材に形成された膨らみ部でロック軸の上端近傍部分と前記爪片との間の部分を立ち上がり壁の外面との間で挟み、支持部材の上下両端に形成された小さな凸部を内枠の立ち上がり壁の上端に形成された下向きの溝およびこの溝に向き合うように水平板部上に形成された上向きの溝に圧入させることによりロック軸を内枠の立ち上がり壁に対し押し当てた状態で支持してなることを特徴とする天井点検口のロック軸取り付け構造。
【発明の詳細な説明】
【技術分野】
【０００１】
本発明は、天井点検口において内枠を外枠に閉塞支持するための天井点検口のロック軸取り付け構造に関するものである。
【背景技術】
【０００２】
従来のこの種天井点検口におけるロック軸の取り付け構造としては特許文献１に開示されているものが知られている。この特許文献１に開示されているものは、天井に形成された４角形の開口部に嵌めこまれて取り付けられる外枠に対し１辺同士で回動自在に繋がるように取り付けられた内枠を前記回動自在に繋がる１辺に対向する１辺で閉塞保持するために、前記回動自在に繋がる１辺に対向する内枠の１辺にロック手段を設けてあり、このロック手段は内枠の立ち上がり壁の外側で軸芯が上下方向に向くように内枠に回転自在に取り付けられるロック軸と、このロック軸の下端近傍に設けた爪片とからなり、ロック軸を回して爪片を外枠に係止させることにより内枠の閉塞状態が保持されるようになっており、ロック軸を内枠の立ち上がり壁に対し押し当てるばねを設け、このばねの両端は前記内枠の立ち上がり壁に形成した孔部に差し込まれてロック軸を内枠の立ち上がり壁に対し押し当てた状態で支持している。
【特許文献１】特開２００３−３０１５９９号公報
【発明の開示】
【発明が解決しようとする課題】
【０００３】
上記特許文献１に開示されているロック軸の取り付け部の構成では、ロック軸を内枠の立ち上がり壁に対し押し当てるばねの両端を内枠の立ち上がり壁に形成した孔部に差し込んでおり、ロック軸を支えるための強いばねを用いる必要があることから、ばねの両端を立ち上がり壁の孔部に差し込む作業に手間がかかるという問題があった。
【０００４】
本発明の目的は、このような課題を解決するものであり、内枠の立ち上がり壁に対するロック軸の取り付け支持を簡単に行なえるようにした天井点検口のロック軸取り付け構造を提供することにある。
【課題を解決するための手段】
【０００５】
本発明の請求項１に記載の天井点検口のロック軸取り付け構造は、天井に形成された４角形の開口部に嵌めこまれて取り付けられる外枠に対し１辺同士で回動自在に繋がるように取り付けられた内枠を前記回動自在に繋がる１辺に対向する１辺で閉塞保持するために、前記回動自在に繋がる１辺に対向する内枠の１辺にロック手段を設けてあり、このロック手段は内枠の立ち上がり壁の外側で軸芯が上下方向に向くように内枠の立ち上がり壁の下端から外側に張り出す水平板部に形成された孔部に下端が嵌入して回転自在に取り付けられるロック軸と、このロック軸の下端近傍に設けた爪片とからなり、ロック軸を回して爪片を外枠に係止させることにより内枠の閉塞状態が保持されるようになっており、ロック軸は上下方向中央よりやや上側に他の部分よりやや小径となっている小径部を備え、合成樹脂製の板状の支持部材に形成された膨らみ部でロック軸の上端近傍部分と前記爪片との間の部分を立ち上がり壁の外面との間で挟み、支持部材の上下両端に形成された小さな凸部を内枠の立ち上がり壁の上端に形成された下向きの溝およびこの溝に向き合うように水平板部上に形成された上向きの溝に圧入させることによりロック軸を内枠の立ち上がり壁に対し押し当てた状態で支持してなることを特徴とする。
【発明の効果】
【０００６】
以上のように、本発明の天井点検口のロック軸取り付け構造は、支持部材でロック軸を内枠の立ち上がり壁との間で挟むように位置させ、支持部材の上下両端に形成された小さな凸部を内枠の立ち上がり壁の上端に形成された下向きの溝およびこの溝に向き合うように水平板部上に形成された上向きの溝に圧入させるだけでロック軸の取り付けが完了し、支持部材の取り付けのために内枠の立ち上がり壁に孔部を形成するなどの必要がなく、内枠の立ち上がり壁に対するロック軸の取り付け支持を簡単に行なえるようにした天井点検口のロック軸取り付け構造を提供することができる。
【発明を実施するための最良の形態】
【０００７】
以下、本発明の一実施の形態を、図１〜図５を用いて具体的に説明する。
図において、１は天井２に形成された正方形の開口部３に嵌められて取り付けられるようにアルミニウムを材料にして作られた外枠、４はこの外枠１の内部に位置し外枠１に対し１辺同士で回動自在に繋がるように設けられ蓋材５の周囲を囲むようにアルミニウムを材料にして作られた内枠である。６は前記回動自在に繋がる１辺に対向する１辺で内枠４の閉塞状態を保持するロック手段である。
【０００８】
このロック手段６は内枠４の立ち上がり壁７の外側で軸芯が上下方向に向くように内枠４に回転自在に取り付けられるロック軸８と、このロック軸８の下端近傍に水平に突出するように設けた爪片９とを備え、ロック軸８を回して外枠１の立ち上がり壁１０の下端から内側に張り出す水平板部１１を内枠４の立ち上がり壁７の下端から直角に向けて外側に張り出す水平板部１２と爪片９との間で挟むことにより内枠４の閉塞状態が保持されることになる。
【０００９】
内枠４に対するロック軸８の取り付け部について詳細に説明すると、ロック軸８の下端は内枠４の立ち上がり壁７の下端から外側に張り出す水平板部１２に形成された孔部１２ａを下方に貫通し、この水平板部１２上でロック軸８が回転することにより爪片９は水平状態で回転するようになっている。ロック軸８は内枠４の立ち上がり壁７の外側で合成樹脂製の支持部材１３により内枠４の立ち上がり壁７の外面側に押さえ付けられた状態で鉛直軸芯の周りで回転自在となっている。ロック軸８の上下方向中央よりやや上側が他の部分よりやや小径となっている。１４はその小径部である。さらに、前記ロック軸８には前記爪片９との繋がり部における背面にはロック軸８が前記立ち上がり壁７から直角に向いた状態で立ち上がり壁７の外面に当接する角部１５が形成されている。なお、ロック軸８の下面にはコイン、ドライバーなどで操作できるように−状の溝８ａが形成されている。
【００１０】
前記合成樹脂製の支持部材１３は板状で、左右両側部における上下両端に小さな凸部１３ａ，１３ｂが形成され、中央部には前記ロック軸８の上端近傍部分と前記爪片９との間の部分を前記立ち上がり壁７の外面との間で挟む膨らみ部１３ｃが形成され、この膨らみ部１３ｃの内面には前記ロック軸８の小径部１４に嵌入する凸条部１３ｄが形成され、さらに前記膨らみ部１３ｃの上側にロック軸８の上端に当接する板部１３ｅが形成されている。かかる構成の支持部材１３は、前記ロック軸８の下端を内枠４の立ち上がり壁７の水平板部１２の孔部１２ａに嵌入させた状態で膨らみ部１３ｃでロック軸８の上端近傍部分と前記爪片９との間の部分を立ち上がり壁７の外面との間で挟み、前記上下両端の凸部１３ａ，１３ｂを内枠４の立ち上がり壁７の上端に形成された下向きの溝７ａおよびこの溝７ａに向き合うように水平板部１２上に形成された上向きの溝１２ｂに圧入させることにより立ち上がり壁７に対するセットが完了し、ロック軸８の支持がなされる。
【図面の簡単な説明】
【００１１】
【図１】本発明の一実施の形態における天井点検口の要部縦断面図である。
【図２】同内枠に対するロック軸取り付け前の状態を示す斜視図である。
【図３】同内枠に対するロック軸の取り付けに使用される支持部材を背面側から見た斜視図である。
【図４】同ロック軸を背面側から見た斜視図である。
【図５】同内枠に対するロック軸取り付け状態を示す斜視図である。
【符号の説明】
【００１２】
１              外枠
２              天井
３              開口部
４              内枠
５              蓋材
６              ロック手段
７              立ち上がり壁
７ａ            溝
８              ロック軸
８ａ            溝
９              爪片
１０              立ち上がり壁
１１              水平板部
１２              水平板部
１２ａ            孔部
１２ｂ            溝
１３              支持部材
１３ａ，１３ｂ    凸部
１３ｃ            膨らみ部
１３ｄ            凸条部
１３ｅ            板部
１４              小径部
１５              角部
【図１】
2008095379.tif 000003
【図２】
2008095379.tif 000004
【図３】
2008095379.tif 000005
【図４】
2008095379.tif 000006
【図５】
2008095379.tif 000007